(57)【要約】【課題】精算後に発行した印刷済みのレシートを客が取り忘れることを減らすことのできるチェックアウト端末装置を提供することを目的とする。【解決手段】入出金レシート発行部１３０は、支払金の紙幣を受け入れると共に釣り札（紙幣）を払い出すための紙幣入出金ユニット１３１、支払金の硬貨を受け入れるための硬貨入金ユニット１３２、不良硬貨を排出するための不良硬貨排出口１３３、釣り銭（硬貨）を払い出すための釣り銭払出ユニット１３４、及び、精算内容等を印刷したレシートを発行するレシート発行部１３５を備えている。  そして、入出金レシート発行部１３０の左側には、上方に紙幣入出金ユニット１３１が位置し、紙幣入出金ユニット１３１の下方に釣り銭払出ユニット１３４が位置している。また、入出金レシート発行部１３０の右側には、上方にレシート発行部１３５が位置し、下方に硬貨入金ユニット１３２が位置している。【選択図】        図２
2015014921.tif 000002
【特許請求の範囲】
【請求項１】
少なくとも客の買い上げ商品についての精算処理を行う本体部と、
支払金を受け入れるための入金部と、
前記入金部が受け入れた支払金の金額と買い上げ金額から前記本体部が精算処理を行うことで算出した差額金を払い出すための出金部と、
前記本体部が精算処理を行うことで形成した印刷内容を印刷したレシートを発行するレシート発行部とを備え、
前記出金部と、前記レシート発行部で前記レシートを排出するレシート発行口とが、並設されていることを特徴とするチェックアウト端末装置。
【請求項２】
前記レシート発行口が、前記出金部で差額金を払い出す払出口よりも、筐体前面から奥側に設けられていることを特徴とする請求項１に記載のチェックアウト端末装置。
【請求項３】
前記レシート発行口が、前記筐体奥側の壁面の上部に設けられ、前記払出口が前記壁面の基部へと続く前記筐体の平面部に設けられたことを特徴とする請求項２に記載のチェックアウト端末装置。
【発明の詳細な説明】
【技術分野】
【０００１】
本発明は、チェックアウト端末装置に関する。
【背景技術】
【０００２】
従来より、客が自ら機械を操作して、買い上げた商品の精算を行うチェックアウト端末装置として、セルフレジ端末装置（セルフチェックアウト端末装置ともいう）が実用されている（例えば、特許文献１参照）。
【０００３】
このようなセルフレジ端末装置は、客に応対する店員（レジ要員）が待機するスペースが不要で設置場所を小さくできるため、より多い台数を店舗内に設置でき、したがって、精算時に客の待ち時間を短縮できる。
【先行技術文献】
【特許文献】
【０００４】
【特許文献１】特開２０１３−４１５４４号公報
【発明の概要】
【発明が解決しようとする課題】
【０００５】
ところで、従来のセルフレジ端末装置では、客の買い上げ商品についての精算処理等を行う本体部に、レシートを印刷するプリンタ装置を設ける一方、買い上げ金額に応じた紙幣や硬貨を客が入金するための入金装置と、精算後に釣り銭（硬貨）や釣り札（紙幣）を払い出す出金装置とをまとめてなる入出金部を、本体部とは別のユニットとして設けている。
【０００６】
このように、従来のセルフレジ端末装置では、入出金部とプリンタ装置とを別々のユニットに設け、入出金部の出金装置が釣り銭や釣り札を払い出す払出口と、プリンタ装置が印刷済みのレシートを排出するレシート発行口とが離れているので、客は、払出口から払い出された釣り銭や釣り札を取る際に、レシート発行口から排出されたレシートに気付かず、レシートを取り忘れるという不具合を生じるおそれがあった。
【０００７】
この発明は、かかる実情に鑑みてなされたものであり、精算後に発行した印刷済みのレシートを客が取り忘れることを減らすことのできるチェックアウト端末装置を提供することを目的とする。
【課題を解決するための手段】
【０００８】
この発明は、少なくとも客の買い上げ商品についての精算処理を行う本体部と、支払金を受け入れるための入金部と、前記入金部が受け入れた支払金の金額と買い上げ金額から前記本体部が精算処理を行うことで算出した差額金を払い出すための出金部と、前記本体部が精算処理を行うことで形成した印刷内容を印刷したレシートを発行するレシート発行部とを備え、前記出金部と、前記レシート発行部で前記レシートを排出するレシート発行口とが、並設されていることを特徴とするチェックアウト端末装置である。
また、前記レシート発行口が、前記出金部で差額金を払い出す払出口よりも、筐体前面から奥側に設けられていることを特徴とする。
また、前記レシート発行口が、前記筐体奥側の壁面の上部に設けられ、前記払出口が前記壁面の基部へと続く前記筐体の平面部に設けられたことを特徴とする。
【発明の効果】
【０００９】
以上説明したように、本発明によれば、出金部とレシート発行口とが並設され、客の視界内にレシート発行口と出金部とが同時に入り、出金部から払い出された差額金の釣り銭（硬貨）や釣り札（紙幣）を取った客は、レシート発行口から排出される印刷済みのレシートに気付くので、客がレシートを取り忘れることを減らすことができる。効果の詳細は、後述する。
【図面の簡単な説明】
【００１０】
【図１】図１は、本発明の一実施例に係るセルフレジ端末装置（チェックアウト端末装置）の概略構成を示す概略斜視図である。
【図２】図２は、図１に示した実施例の入出金レシート発行部を拡大して示した概略部分斜視図である。
【発明を実施するための形態】
【００１１】
以下、添付図面を参照しながら、この発明の実施の形態を詳細に説明する。
〔実施例〕
図１は、本発明の一実施例に係るセルフレジ端末装置（チェックアウト端末装置）の概略構成を示す概略斜視図であり、図２は、図１に示した実施例の入出金レシート発行部を拡大して示した概略部分斜視図である。
【００１２】
図１において、このセルフレジ端末装置１００は、台部１１０、台部１１０の右側面に設けた載置台１１１、台部１１０の上面の天板１１２に設けた本体部１２０、及び、台部１１０の上面前方に設けた入出金レシート発行部１３０を備えている。
【００１３】
ここで、載置台１１１は、客が精算作業の際に買い物かご（図示略）を載置するためのものであり、天板１１２は、客がバーコードを読み取った後の商品を買い物袋など（図示略）に収容する作業を行うためのサッカー台を兼ねている。また、客の作業が円滑に行えるように、天板１１２の高さは、標準身長の女性の腰の高さよりもやや低い程度に設定されている。したがって、標準身長の女性であれば、入出金レシート発行部１３０を見下ろすことができる。
【００１４】
本体部１２０は、客に精算作業の案内画面や操作画面等を提示（表示）すると共に、客が画面をタッチ操作することで種々の情報を入力するための操作表示部１２１、商品に付けられているラベル等に印刷されたバーコードを読み取るためのバーコードスキャン部１２２、及び、客の買い上げ商品についての精算処理を行うと共に、客の精算作業を案内（誘導）する画面を操作表示部１２１に表示させる処理などを行う制御ユニット１２３を備えている。ここで、制御ユニット１２３が行う精算処理としては、入金部（後述）が受け入れた客の支払金の金額と、客が買い上げた商品の買い上げ金額に基づいて差額金を算出したり、レシート（後述）に印刷する印刷情報を形成する等の処理からなる。
なお、操作表示部１２１としては、上述したように、画面をタッチ操作することで操作入力するタッチパネルを備えたものだけでなく、キーボードを備えたもの、あるいは、タッチパネルとキーボードの両方を備えたものを用いることもできる。
【００１５】
入出金レシート発行部１３０は、支払金の紙幣を受け入れると共に釣り札（紙幣）を払い出すための紙幣入出金ユニット１３１、支払金の硬貨を受け入れるための硬貨入金ユニット１３２、不良硬貨を排出するための不良硬貨排出口１３３、釣り銭（硬貨）を払い出すための釣り銭払出ユニット１３４、及び、精算内容等を印刷したレシートを発行するレシート発行部１３５を備えている。
【００１６】
そして、入出金レシート発行部１３０の左側には、上方に紙幣入出金ユニット１３１が位置し、紙幣入出金ユニット１３１の下方に釣り銭払出ユニット１３４が位置している。また、入出金レシート発行部１３０の右側には、上方にレシート発行部１３５が位置し、下方に硬貨入金ユニット１３２が位置している。
【００１７】
また、紙幣入出金ユニット１３１と釣り銭払出ユニット１３４は、入出金レシート発行部１３０の前後方向にはほぼ同じ位置に設けられている。一方、レシート発行部１３５は、硬貨入金ユニット１３２よりも入出金レシート発行部１３０の前後方向の奥側に設けられている。
【００１８】
ここで、本実施例では、紙幣入出金ユニット１３１が紙幣の入金部と出金部とを兼ねており、硬貨入金ユニット１３２が硬貨の入金部に相当し、釣り銭払出ユニット１３４が硬貨の出金部に相当する。また、不良硬貨排出口１３３は、硬貨入金ユニット１３２の一要素である。
そして、レシート発行部１３５のレシート発行口１３５ａ（図２参照）は、紙幣入出金ユニット１３１や釣り銭払出ユニット１３４の出金部よりも、入出金レシート発行部１３０の筐体の奥側に位置している。
【００１９】
図２において、入出金ユニット１３１を覆うユニットカバー部１３０ａは、入出金ユニット１３１の左右の側板と、入出金ユニット１３１の前面及び上面を覆う部材とからなり、図の右端部を軸に横方向に回動して開き、入出金ユニット１３１の内部構造を露出するようになっている。なお、このユニットカバー部１３０ａは、反対側の端部を軸に横方向に回動するように構成することもできる。
【００２０】
このように、入出金ユニット１３１に紙幣を補充したり、集めた紙幣を回収するなどの保守作業を行う際などで、入出金ユニット１３１の内部を露出する必要がある場合には、ユニットカバー部１３０ａを横方向に回動することで、入出金ユニット１３１を開き、その状態を保持することができる。
【００２１】
ここで、従来の装置では、ユニットカバー部がその上端部を軸にして上方向に回動することで入出金ユニットを開くように構成していた。ユニットカバー部の開閉機構をこのように構成した場合、ユニットカバー部を上方向に回動して入出金ユニットを開くと、ユニットカバー部が自重により下がってきて入出金ユニットを閉じようとするので、入出金ユニットの保守作業を行う作業員は、片手でユニットカバー部を押さえて作業する必要があり、作業に不便であった。
【００２２】
そこで、従来の装置では、作業員が両手を使って作業ができるようにするため、ユニットカバー部が開いた状態に保持されるように、ユニットカバー部を台部の筐体に軸支するためのヒンジ部に、ユニットカバー部の重量を支える機構を備えたトルクヒンジやロック機構付きヒンジなどの高価な部品を使用していたので、装置コストが嵩んでいた。
【００２３】
それに対し、本実施例の入出金レシート発行部１３０では、ユニットカバー部１３０ａが横方向に回動して入出金ユニット１３１を開くので、ユニットカバー部１３０ａを開いた状態に保持するためには、従来の装置のようにトルクヒンジやロック機構付きヒンジなどの高価な部品を使用しなくてよく、したがって、装置コストを低減することができる。
【００２４】
また、紙幣入出金ユニット１３１と釣り銭払出ユニット１３４とを連絡するように設けられた壁部１３０ｂは、紙幣入出金ユニット１３１側から釣り銭払出ユニット１３４側に下がるに従って筐体の奥側に向かうように傾斜しており、入出金レシート発行部１３０を上から見下ろすと、紙幣入出金ユニット１３１と釣り銭払出ユニット１３４とを同時に見ることができる。したがって、チェックアウト端末装置１００が紙幣入出金ユニット１３１より釣り札を払い出すとともに、釣り銭払出ユニット１３４より釣り銭（硬貨）を払い出したとき、客は、釣り札と釣り銭とを同時に見ることとなるので、例えば、釣り札だけを取って釣り銭を取り忘れるような不具合を抑制することができる。
【００２５】
また、レシート発行部１３５のレシート発行口１３５ａからは、印刷済みのレシート１３６が排出される。ここで、本実施例の場合、レシート発行部１３５が入出金レシート発行部１３０の筐体の奥側の壁部の上部に設けられるとともに、硬貨入金ユニット１３２が、奥側の壁部に向かって伸びた平面部に設けられているので、レシート１３６を排出するレシート発行口１３５ａは、ユニットカバー部１３０ａにおいて、硬貨入金ユニット１３２よりも奥側の壁部の上部の位置に開口している。
【００２６】
ここで、レシート発行部１３５が印刷するレシート１３６の印刷内容をあらわす印刷情報は、本体部１２０の制御ユニット１２３が実行する精算処理により生成されて、レシート発行部１３５へと送られる。レシート発行部１３５は、制御ユニット１２３より受け取った印刷情報に従った印刷動作を行って、印刷済みのレシート１３６をレシート発行口１３５ａから送り出す。
【００２７】
したがって、レシート発行口１３５ａから排出されるレシート１３６は、硬貨入金ユニット１３２の上方から硬貨入金ユニット１３２の硬貨受け入れ口の方向へと送り出される。レシート１３６が長い場合には、図２に示すように、レシート発行口１３５ａから送り出されたレシート１３６が硬貨受け入れ口の一部を塞ぐことになるが、レシート１３６が発行されるのは、本体部１２０の制御ユニット１２３による精算処理により印刷情報が作成された後であり、そのときは、客の入金動作が終了した後なので、不具合を生じるおそれがない。
【００２８】
また、レシート発行部１３５は、レシート１３６の用紙として、ロール状の長尺な用紙（以下、「用紙ロール」という）を用いており、用紙を使い切ると用紙ロールを交換する必要がある。そこで、例えば、レシート発行部１３５を手前に引き出せるようにガイドレール等でレシート発行部１３５を支持するように構成し、レシート発行部１３５を手前に引き出すことで、用紙ロールの収容部を露出したり、あるいは、レシート発行部１３５の用紙ロールの収容部の直上にドア部を設け、このドア部を開いて用紙ロールの収容部を露出するようにすれば、用紙ロールを交換または補給することができる。
【００２９】
ここで、レシート発行部１３５のレシート発行口１３５ａは、入出金レシート発行部１３０において、出金部（紙幣入出金ユニット１３１及び釣り銭払出ユニット１３４）と並設されていればよく、例えば、レシート発行口１３５ａを出金部の上方あるいは下方に設けたり、出金部が紙幣の出金部と硬貨の出金部からなるので、その間、すなわち、紙幣入出金ユニット１３１と釣り銭払出ユニット１３４との間の位置に設けるようにすることができる。
【００３０】
ところで、上述したチェックアウト端末装置１００は、店員が操作するレジ端末装置として用いることができるが、操作に慣れない客が主に操作するセルフレジ端末装置として用いるのに好適である。また、買上商品の商品登録を行う登録装置と、客自らが精算を行なう精算装置とを含むＰＯＳシステムにおける、精算装置にも好適である。さらに、このセルフレジ端末装置として用いる場合に、地面と略平行で客が見下ろせる位置に表示部を設けるとともに、この表示部よりも筐体の上側にレシート発行口と出金部を並設した構成を採用することもできる。
また、上述した実施例の変形例として、例えば、紙幣入出金ユニット１３１と硬貨入金ユニット１３２とを設ける位置を交換した形態のチェックアウト端末装置を構成することができる。
他の変形例としては、レシート発行部１３５のレシート発行口１３５ａの下に硬貨入金ユニット１３２を設けず、レシート発行部１３５を単独で設け、硬貨入金ユニット１３２は、例えば、釣り銭払出ユニット１３４と左右に列べて配置したものを構成することができる。この場合、レシート発行口１３５ａから排出されるレシート１３６は、レシート発行口１３５ａ下の壁面に沿って垂れ下がる。
また、以上述べてきた実施形態の構成及び変形例は、矛盾しない範囲で適宜組み合わせて適用することも可能である。
【産業上の利用可能性】
【００３１】
本発明は、レシート発行部と入出金部とを備えた任意のチェックアウト端末装置に適用することができる。
【符号の説明】
【００３２】
１００  セルフレジ端末装置
１１０  台部
１２０  本体部
１３０  入出金レシート発行部
１３１  紙幣入出金ユニット
１３２  硬貨入金ユニット
１３３  不良硬貨排出口
１３４  釣り銭払出ユニット
１３５  レシート発行部
１３５ａ  レシート発行口
【図１】
2015014921.tif 000003
【図２】
2015014921.tif 000004
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
少なくとも客の買い上げ商品についての精算処理を行う本体部と、
支払金を受け入れるための入金部と、
前記入金部が受け入れた支払金の金額と買い上げ金額から前記本体部が精算処理を行うことで算出した差額金を払い出すための紙幣入出金ユニット及び釣り銭払出ユニットと、
前記本体部が精算処理を行うことで形成した印刷内容を印刷したレシートを発行するレシート発行部とを備え、
入出金レシート発行部を構成する筐体が本体部を載せる台部の前方に備えられ、
前記紙幣入出金ユニットと、前記レシート発行部で前記レシートを排出するレシート発行口とが、幅方向に並設されていることを特徴とするチェックアウト端末装置。
【請求項２】
前記レシート発行口が該レシート発行口の高さ方向の壁面が前記筐体の奥行方向における垂直面に設けられ、前記筐体に前記壁面の基部へと続く地面と平行な平面部が存在することを特徴とする請求項１に記載のチェックアウト端末装置。
【請求項３】
前記平面部に、硬貨入金ユニットが設けられていることを特徴とする請求項２に記載のチェックアウト端末装置。
【請求項４】
紙幣入出金ユニットと釣り銭払出ユニットとを連絡するように設けられた壁部は、紙幣入出金ユニット側から釣り銭払出ユニット側に下がるに従って前記筐体の奥側に向かうように傾斜していることを特徴とする請求項１乃至３のいずれかに記載のチェックアウト端末装置。
【手続補正２】
【補正対象書類名】明細書
【補正対象項目名】０００８
【補正方法】変更
【補正の内容】
【０００８】
この発明は、少なくとも客の買い上げ商品についての精算処理を行う本体部と、支払金を受け入れるための入金部と、前記入金部が受け入れた支払金の金額と買い上げ金額から前記本体部が精算処理を行うことで算出した差額金を払い出すための紙幣入出金ユニット及び釣り銭払出ユニットと、前記本体部が精算処理を行うことで形成した印刷内容を印刷したレシートを発行するレシート発行部とを備え、入出金レシート発行部を構成する筐体が本体部を載せる台部の前方に備えられ、前記紙幣入出金ユニットと、前記レシート発行部で前記レシートを排出するレシート発行口とが、幅方向に並設されていることを特徴とする。
【手続補正３】
【補正対象書類名】明細書
【補正対象項目名】０００９
【補正方法】変更
【補正の内容】
【０００９】
以上説明したように、本発明によれば、出金部とレシート発行口とが幅方向に並設され、客の視界内にレシート発行口と出金部とが同時に入り、出金部から払い出された差額金の釣り銭（硬貨）や釣り札（紙幣）を取った客は、レシート発行口から排出される印刷済みのレシートに気付くので、客がレシートを取り忘れることを減らすことができる。効果の詳細は、後述する。